(57)【要約】【課題】側壁部を高くして排泄物の横漏れを防止することができる。【解決手段】吸収性物品１は、本体部２、および、本体部２の下面において左右方向の両側に設けられた一対の下ギャザーシート４を備える。吸収性物品１が着用される際には、一対の下ギャザーシート４が左右方向の外側へと折り返され、着用者に向けて起立する外側ギャザーが形成されるとともに、前方部２０１および後方部２０３において、本体部２の長手方向の両端部が持ち上げられて本体部２が舟形に湾曲する。これにより、吸収性物品１の中間部２０２において、下ギャザーシート４が高く起立する。その結果、尿等の排泄物が脚の付け根から吸収性物品１の外部へと漏出することを防止することができる。【選択図】図５
2012200481.tif 000002
【特許請求の範囲】
【請求項１】
着用者からの排泄物を受ける吸収性物品であって、
バックシートとトップシートとの間に吸収コアが配置された略シート状の本体部と、
前記本体部の左右方向の両側において前記バックシートに対向しつつ前記左右方向に垂直な長手方向に前記本体部の全長に亘って延びる一対の下ギャザーシートと、
を備え、
前記一対の下ギャザーシートのそれぞれが、
前記左右方向の一方の端部である固定端部が前記本体部の側縁部に固定されるとともに前記長手方向の両端部が前記バックシートに固定される下ギャザーシート本体と、
前記下ギャザーシート本体の前記左右方向の他方の端部である自由端部に沿って接合されて前記自由端部を収縮させる弾性部材と、
を備えることを特徴とする吸収性物品。
【請求項２】
請求項１に記載の吸収性物品であって、
前記一対の下ギャザーシートのそれぞれが、
前記自由端部と前記固定端部との間にて前記長手方向に沿って前記下ギャザーシート本体に接合されて前記下ギャザーシート本体を収縮させる他の弾性部材をさらに備えることを特徴とする吸収性物品。
【請求項３】
請求項１または２に記載の吸収性物品であって、
前記下ギャザーシート本体が、前記バックシート上にて折り返されることなく配置され、
前記下ギャザーシート本体の前記自由端部が、前記固定端部よりも前記左右方向の内側に位置することを特徴とする吸収性物品。
【請求項４】
請求項１ないし３のいずれかに記載の吸収性物品であって、
前記下ギャザーシート本体の前記長手方向の前記両端部において、前記バックシートに固定される固定領域の前記長手方向における中央側のエッジの位置が、前記本体部の前記左右方向の内側から前記側縁部に向かうに従って前記長手方向における中央側へと向かうことを特徴とする吸収性物品。
【請求項５】
請求項１ないし４のいずれかに記載の吸収性物品であって、
前記本体部の前記左右方向の両側において前記トップシートに対向しつつ前記本体部の全長に亘って前記長手方向に延びる一対の上ギャザーシートをさらに備えることを特徴とする吸収性物品。
【請求項６】
請求項５に記載の吸収性物品であって、
前記一対の上ギャザーシートのそれぞれの上ギャザーシート本体が、エアスルー不織布により形成されることを特徴とする吸収性物品。
【請求項７】
請求項１ないし６のいずれかに記載の吸収性物品であって、
前記本体部に、前記バックシートの一部を含むとともに前記吸収コアの側縁から前記左右方向の外側へと広がる一対の側部フラップ部が設けられ、
前記一対の下ギャザーシートの前記下ギャザーシート本体の前記固定端部が、前記一対の側部フラップ部よりも前記左右方向の内側にて前記バックシートに固定されることを特徴とする吸収性物品。
【請求項８】
請求項１ないし７のいずれかに記載の吸収性物品であって、
前記本体部において、着用者の腹側の肌に接する前方部、着用者の股間部に対向する中間部、および、着用者の背側の肌に接する後方部が前記長手方向に並び、
前記後方部の幅が、前記中間部の幅よりも大きいことを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつの内側に取り付けられて使用される軽失禁用の吸収パッド等の吸収性物品では、幅方向の両側に一対の側壁部が設けられており、側壁部に設けられた弾性糸等が収縮することにより側壁部が着用者に向かって起立する。吸収性物品の着用時には、当該一対の側壁部が着用者の脚の付け根近傍に当接する立体ギャザーとなり、これにより、吸収性物品からの排泄物の漏出が防止される。
【０００３】
例えば、特許文献１の吸収性物品では、側壁部を形成するギャザーシートが本体部の着用者側に設けられ、当該ギャザーシートの側端部が、吸収コアの着用者とは反対側を覆う防漏シートのバックシート部に接合される。また、特許文献２の吸収性物品では、側壁部が本体部の側方エッジから側方に離間した折り返し位置にて着用者側に折り返される。これらの吸収性物品では、側壁部の前端部および後端部が、本体部の着用者側の面に接合される。
【先行技術文献】
【特許文献】
【０００４】
【特許文献１】特開２００６−２１８０５５号公報
【特許文献２】特開２００６−４３３２５号公報
【発明の概要】
【発明が解決しようとする課題】
【０００５】
ところで、このような吸収性物品では、尿等の排泄物が脚の付け根から吸収性物品の外部へと漏出すること（いわゆる、横漏れ）を防止するために、側壁部を高くすることが好ましい。
【０００６】
本発明は、上記課題に鑑みなされたものであり、側壁部を高くして排泄物の横漏れを防止することを主な目的としている。
【課題を解決するための手段】
【０００７】
請求項１に記載の発明は、着用者からの排泄物を受ける吸収性物品であって、バックシートとトップシートとの間に吸収コアが配置された略シート状の本体部と、前記本体部の左右方向の両側において前記バックシートに対向しつつ前記左右方向に垂直な長手方向に前記本体部の全長に亘って延びる一対の下ギャザーシートとを備え、前記一対の下ギャザーシートのそれぞれが、前記左右方向の一方の端部である固定端部が前記本体部の側縁部に固定されるとともに前記長手方向の両端部が前記バックシートに固定される下ギャザーシート本体と、前記下ギャザーシート本体の前記左右方向の他方の端部である自由端部に沿って接合されて前記自由端部を収縮させる弾性部材とを備える。
【０００８】
請求項２に記載の発明は、請求項１に記載の吸収性物品であって、前記一対の下ギャザーシートのそれぞれが、前記自由端部と前記固定端部との間にて前記長手方向に沿って前記下ギャザーシート本体に接合されて前記下ギャザーシート本体を収縮させる他の弾性部材をさらに備える。
【０００９】
請求項３に記載の発明は、請求項１または２に記載の吸収性物品であって、前記下ギャザーシート本体が、前記バックシート上にて折り返されることなく配置され、前記下ギャザーシート本体の前記自由端部が、前記固定端部よりも前記左右方向の内側に位置する。
【００１０】
請求項４に記載の発明は、請求項１ないし３のいずれかに記載の吸収性物品であって、前記下ギャザーシート本体の前記長手方向の前記両端部において、前記バックシートに固定される固定領域の前記長手方向における中央側のエッジの位置が、前記本体部の前記左右方向の内側から前記側縁部に向かうに従って前記長手方向における中央側へと向かう。
【００１１】
請求項５に記載の発明は、請求項１ないし４のいずれかに記載の吸収性物品であって、前記本体部の前記左右方向の両側において前記トップシートに対向しつつ前記本体部の全長に亘って前記長手方向に延びる一対の上ギャザーシートをさらに備える。
【００１２】
請求項６に記載の発明は、請求項５に記載の吸収性物品であって、前記一対の上ギャザーシートのそれぞれの上ギャザーシート本体が、エアスルー不織布により形成される。
【００１３】
請求項７に記載の発明は、請求項１ないし６のいずれかに記載の吸収性物品であって、前記本体部に、前記バックシートの一部を含むとともに前記吸収コアの側縁から前記左右方向の外側へと広がる一対の側部フラップ部が設けられ、前記一対の下ギャザーシートの前記下ギャザーシート本体の前記固定端部が、前記一対の側部フラップ部よりも前記左右方向の内側にて前記バックシートに固定される。
【００１４】
請求項８に記載の発明は、請求項１ないし７のいずれかに記載の吸収性物品であって、前記本体部において、着用者の腹側の肌に接する前方部、着用者の股間部に対向する中間部、および、着用者の背側の肌に接する後方部が前記長手方向に並び、前記後方部の幅が、前記中間部の幅よりも大きい。
【発明の効果】
【００１５】
本発明では、側壁部を高くして排泄物の横漏れを防止することができる。
【図面の簡単な説明】
【００１６】
【図１】第１の実施の形態に係る吸収性物品の平面図である。
【図２】吸収性物品の底面図である。
【図３】吸収性物品の断面図である。
【図４】吸収性物品の他の例を示す底面図である。
【図５】吸収性物品の斜視図である。
【図６】吸収性物品の断面図である。
【図７】第２の実施の形態に係る吸収性物品の底面図である。
【図８】吸収性物品の断面図である。
【図９】吸収性物品の断面図である。
【発明を実施するための形態】
【００１７】
図１および図２はそれぞれ、本発明の第１の実施の形態に係る吸収性物品１を長手方向に広げた状態にて示す平面図および底面図である。吸収性物品１は、着用者が着用する外装物品である使い捨ておむつ等の内側に取り付けられ、着用者からの排泄物を受ける補助吸収具である。図１では、着用者に接する面（以下、「上面」という。）を手前側にして吸収性物品１を描いており、図２では、上面とは反対側の下面を手前側にして吸収性物品１を描いている。
【００１８】
図１に示すように、吸収性物品１は、略シート状の本体部２、および、本体部２の上面において長手方向に垂直な左右方向（本体部２の幅方向であり、図１中の左右方向に一致する。）の両側に設けられた一対の上ギャザーシート３を備える。一対の上ギャザーシート３は、本体部２の後述するトップシート２１に対向しつつ、本体部２のおよそ全長に亘って延びる。また、吸収性物品１は、図２に示すように、本体部２の下面において左右方向の両側に設けられた一対の下ギャザーシート４をさらに備える。一対の下ギャザーシート４は、本体部２の後述するバックシート２３に対向しつつ、本体部２のおよそ全長に亘って延びる。
【００１９】
図１および図２中における本体部２の上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。吸収性物品１では、本体部２において、前方部２０１、中間部２０２および後方部２０３が長手方向に順に並び、前方部２０１および後方部２０３の左右方向の幅が、中間部２０２の幅よりも大きい。換言すれば、本体部２は、平面視においていわゆる砂時計型である。本実施の形態では、後方部２０３の左右方向の幅が、前方部２０１の左右方向の幅よりも大きい。
【００２０】
図３は、吸収性物品１を、図１中のＡ−Ａの位置にて、吸収性物品１を長手方向に垂直な面で切断した断面図である。図３は、吸収性物品１の後方部２０３の断面を示す。図１ないし図３に示すように、本体部２は、トップシート２１、吸収コア２２およびバックシート２３を備える。吸収コア２２は、トップシート２１とバックシート２３との間に配置される。吸収コア２２の上面はトップシート２１に対向し、吸収コア２２の下面はバックシート２３に対向する。
【００２１】
図１および図２では、図の理解を容易にするために、吸収コア２２の輪郭を太い破線にて描く。前方部２０１および後方部２０３における吸収コア２２の左右方向の幅は、中間部２０２における吸収コア２２の幅よりも大きい。換言すれば、吸収コア２２は、平面視においていわゆる砂時計型である。本実施の形態では、後方部２０３における吸収コア２２の幅が、前方部２０１における吸収コア２２の幅よりも大きい。
【００２２】
トップシート２１は、透液性のシート材料であり、着用者からの排泄物の水分を速やかに捕捉して吸収コア２２へと移動させる。トップシート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布やエアスルー不織布、スパンボンド不織布等）が利用される。なお、トップシート２１として、セルロースやレーヨン、コットン等の親水性繊維により形成された不織布（例えば、スパンレース不織布）が利用されてもよい。
【００２３】
吸収コア２２は、粉砕したパルプ繊維やセルロース繊維等の親水性繊維に高吸収性材料（例えば、ＳＡＰ（Super Absorbent Polymer）やＳＡＦ（Super Absorbent Fiber））を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。本実施の形態では、吸収コア２２はパルプ繊維および粒状のＳＡＰを含む。
【００２４】
バックシート２３は、撥水性または不透液性のシート部材であり、バックシート２３に到達した排泄物の水分等が、本体部２の外部にしみ出すことを防止する。バックシート２３としては、撥水性または不透液性の不織布やプラスチックフィルム、あるいは、これらの不織布とプラスチックフィルムとが積層された積層シートが利用される。バックシート２３に利用される不織布としては、例えば、疎水性繊維にて形成されたスパンボンド不織布やメルトブロー不織布、ＳＭＳ（スパンボンド・メルトブロー・スパンボンド）不織布があり、必要に応じて撥水処理が施される。バックシート２３にプラスチックフィルムが利用される場合、吸収性物品１のムレを防止して着用者の快適性を向上するという観点からは、透湿性（通気性）を有するプラスチックフィルムが利用されることが好ましい。
【００２５】
図１および図３に示すように、一対の上ギャザーシート３はそれぞれ、上ギャザーシート本体３１および上ギャザー弾性部材３２を備える。上ギャザーシート本体３１の左右方向の一方の端部である固定端部３１１（すなわち、左右方向の外側の端部）は、本体部２の上面において側縁部に固定される。図３に示すように、バックシート２３は、吸収コア２２の側縁から左右方向の外側へと広がっている。以下の説明では、バックシート２３の吸収コア２２から外側に広がっている部位を、「側部フラップ部２３１」という。吸収性物品１の後方部２０３では、上ギャザーシート本体３１の固定端部３１１が、吸収コア２２のコア側縁部２２１、および、バックシート２３の側部フラップ部２３１に、ホットメルト接着剤等により接合される（前方部２０１においても同様）。コア側縁部２２１とは、後方部２０３における吸収コア２２のうち、中間部２０２における吸収コア２２の側縁よりも左右方向の外側に広がる部位である。吸収性物品１の中間部２０２では、トップシート２１の側縁が吸収コア２２の側縁とおよそ一致しており、上ギャザーシート本体３１の固定端部３１１は、トップシート２１の側縁部、および、バックシート２３の側部フラップ部２３１に接合される。
【００２６】
なお、吸収性物品１では、トップシート２１も吸収コア２２の側縁から左右方向の外側へと広がり、トップシート２１とバックシート２３とが吸収コア２２の外側にて接合されることにより、吸収コア２２の側縁から左右方向の外側へと広がる一対の側部フラップ部２３１が形成され、上ギャザーシート本体３１が、本体部２の側縁部においてトップシート２１上に接合されてもよい。この場合も、側部フラップ部２３１は、バックシート２３の一部を含む。
【００２７】
図１に示す吸収性物品１では、上ギャザーシート本体３１の長手方向の両端部３１３も、ホットメルト接着剤等により本体部２に固定される。図１では、上ギャザーシート本体３１のうち本体部２に固定されている部位、すなわち、固定端部３１１と長手方向の両端部３１３に平行斜線を付す。図１および図３に示すように、上ギャザーシート本体３１の長手方向の両端部３１３の間における左右方向の他方の端部である自由端部３１２（すなわち、左右方向の内側の端部）、および、自由端部３１２と固定端部３１１との間の部位３１７（以下、「上側壁中間部３１７」という。）は、本体部２には固定されていない。以下の説明では、上ギャザーシート本体３１の上側壁中間部３１７および自由端部３１２をまとめて「上側壁部３１０」という。上ギャザーシート３では、上ギャザー弾性部材３２が、上ギャザーシート本体３１の自由端部３１２に沿って長手方向に接合され、自由端部３１２を収縮させる。
【００２８】
上ギャザーシート本体３１は、疎水性繊維（例えば、ポリプロピレン、ポリエチレン、ポリエステル、ポリアミド、ナイロン）にて形成された撥水性または不透液性の不織布（例えば、エアスルー不織布、エアレイド不織布、スパンボンド不織布、メルトブロー不織布、ＳＭＳ不織布）である。本実施の形態では、一対の上ギャザーシート３のそれぞれの上ギャザーシート本体３１が、肌触りが柔らかいエアスルー不織布により形成される。上ギャザー弾性部材３２としては、例えば、ポリウレタン糸、帯状のポリウレタンフィルム、糸状または帯状の天然ゴム等が用いられる。本実施の形態では、上ギャザー弾性部材３２は、２本のポリウレタン糸を有し、自由端部３１２にて２層に積層された上ギャザーシート本体３１の間に接合される。
【００２９】
図２および図３に示すように、一対の下ギャザーシート４はそれぞれ、下ギャザーシート本体４１および下ギャザー弾性部材４２を備える。下ギャザーシート本体４１の左右方向の一方の端部である固定端部４１１（すなわち、左右方向の外側の端部）は、本体部２の下面において側縁部にホットメルト接着剤等により固定される。具体的には、図３に示すように、下ギャザーシート本体４１の固定端部４１１は、バックシート２３の一部である一対の側部フラップ部２３１の下面に固定されるとともに、一対の側部フラップ部２３１よりも左右方向の内側にてもバックシート２３の下面に固定される。
【００３０】
図２に示す吸収性物品１では、下ギャザーシート本体４１の長手方向の両端部４１３も、ホットメルト接着剤等により本体部２のバックシート２３に固定される。下ギャザーシート本体４１の長手方向の両端部４１３において、バックシート２３に固定される固定領域４１４の長手方向における中央側のエッジ４１５の位置は、本体部２の左右方向の内側から側縁部に向かうに従って長手方向における中央側へと向かう。換言すれば、下ギャザーシート本体４１の両端部４１３における固定領域４１４のエッジ４１５の位置は、本体部２の左右方向の内側から外側に向かうに従って中間部２０２に近づく。図２では、下ギャザーシート本体４１のうち本体部２に固定されている部位、すなわち、固定端部４１１と長手方向の両端部４１３の固定領域４１４に平行斜線を付す。以下の説明では、下ギャザーシート本体４１の両端部４１３のうち、固定領域４１４のエッジ４１５よりも内側の部位４１６（すなわち、バックシート２３に固定されていない部位）を、「非固定部４１６」と呼ぶ。
【００３１】
本実施の形態では、下ギャザーシート本体４１の両端部４１３では、固定領域４１４の全面に亘って一様にホットメルト接着剤が塗布されて固定領域４１４がバックシート２３に接合されるが、ホットメルト接着剤の塗布態様は適宜変更されてよい。例えば、図４に平行斜線を付して示すように、長手方向の両端部４１３において、ホットメルト接着剤が長手方向に延びるストライプ状に塗布されてもよい。この場合、ストライプ状のホットメルト接着剤を二点鎖線にて囲む矩形領域が固定領域４１４であり、当該二点鎖線の長手方向における中央側の辺が上述のエッジ４１５である。
【００３２】
図２および図３に示すように、下ギャザーシート本体４１の長手方向の両端部４１３の間における左右方向の他方の端部である自由端部４１２（すなわち、左右方向の内側の端部）、および、自由端部４１２と固定端部４１１との間の部位４１７（以下、「下側壁中間部４１７」という。）は、本体部２には固定されていない。以下の説明では、下ギャザーシート本体４１の下側壁中間部４１７および自由端部４１２をまとめて「下側壁部４１０」という。前方部２０１、中間部２０２および後方部２０３では、下側壁部４１０の左右方向の幅は、固定端部４１１の左右方向の幅よりも大きい。
【００３３】
下ギャザーシート４では、下ギャザー弾性部材４２が、下ギャザーシート本体４１の自由端部４１２に沿って長手方向に接合され、自由端部４１２を収縮させる。また、他の下ギャザー弾性部材４３が、下側壁中間部４１７にて長手方向に沿って下ギャザーシート本体４１に接合されて下ギャザーシート本体４１を収縮させる。以下の説明では、下ギャザー弾性部材４２，４３をそれぞれ、「第１下ギャザー弾性部材４２」および「第２下ギャザー弾性部材４３」と呼ぶ。
【００３４】
下ギャザーシート本体４１は、疎水性繊維（例えば、ポリプロピレン、ポリエチレン、ポリエステル、ポリアミド、ナイロン）にて形成された撥水性または不透液性の不織布（例えば、スパンボンド不織布、メルトブロー不織布、ＳＭＳ不織布）である。第１下ギャザー弾性部材４２および第２下ギャザー弾性部材４３としては、例えば、ポリウレタン糸、帯状のポリウレタンフィルム、糸状または帯状の天然ゴム等が用いられる。本実施の形態では、第１下ギャザー弾性部材４２は、１本のポリウレタン糸を有し、第２下ギャザー弾性部材４３は、左右方向に所定の間隔にて配列された３本のポリウレタン糸を有する。第１下ギャザー弾性部材４２および第２下ギャザー弾性部材４３は、２層に積層された下ギャザーシート本体４１の間に接合される。
【００３５】
下ギャザーシート本体４１は、本体部２のバックシート２３上（すなわち、バックシート２３の下側）にて折り返されることなく配置されるため、下ギャザーシート本体４１の自由端部４１２は、左右方向の最も内側に位置し、当然に、固定端部４１１よりも左右方向の内側に位置する。本実施の形態では、吸収性物品１を長手方向に広げた状態において、一対の下ギャザーシート本体４１の自由端部４１２のエッジが、左右方向にておよそ同じ位置に位置する。なお、一対の下ギャザーシート４の自由端部４１２は左右方向に離間していてもよく、自由端部４１２近傍の部位が互いに重なっていてもよい。
【００３６】
吸収性物品１が着用される際には、図２に示す一対の下ギャザーシート４のうちバックシート２３に接合されていない部位（すなわち、下側壁部４１０、および、長手方向の両端部４１３の非固定部４１６）が、左右方向の外側へと折り返される。図５は吸収性物品１の斜視図であり、図６は、吸収性物品１の中間部２０２における断面図である。吸収性物品１では、第１下ギャザー弾性部材４２および第２下ギャザー弾性部材４３の収縮力により、下ギャザーシート本体４１の下側壁部４１０が着用者側へと起立し、着用時に着用者の足の付け根近傍に当接する外側ギャザーが形成される。吸収性物品１の中間部２０２では、図６に示すように、側部フラップ部２３１が、下側壁部４１０により巻き上げられて下側壁部４１０と共に着用者側へと起立する。中間部２０２において下側壁部４１０は側部フラップ部２３１よりも高く起立し、下側壁部４１０の上縁は側部フラップ部２３１の上縁よりも着用者に近い位置に位置する。
【００３７】
図５に示すように、吸収性物品１の前方部２０１および後方部２０３では、側部フラップ部２３１および吸収コア２２のコア側縁部２２１（図３参照）が、下側壁部４１０により巻き上げられて着用者側へと持ち上がる。また、前方部２０１および後方部２０３の左右の角部が、下ギャザーシート４の非固定部４１６により、左右方向の内側、かつ、長手方向の中間部２０２に向けて持ち上げられる。これにより、吸収性物品１が、いわゆる舟形に湾曲し、前方部２０１、中間部２０２および後方部２０３のおよそ全長に亘って着用者に密着する。吸収性物品１では、また、上ギャザー弾性部材３２が収縮することにより、上側壁部３１０が、図５および図６に示すように、下ギャザーシート４の内側にて着用者側へと起立し、着用時に着用者の足の付け根近傍に当接する内側ギャザーが形成される。
【００３８】
以上に説明したように、吸収性物品１では、本体部２の着用者側とは反対側に設けられた一対の下ギャザーシート４が左右方向の外側へと折り返され、着用者に向けて起立する外側ギャザーが形成されるとともに、前方部２０１および後方部２０３において、本体部２の長手方向の両端部が持ち上げられて本体部２が舟形に湾曲する。これにより、中間部２０２において、吸収性物品１の側部が着用者側に起立しやすくなるため、下ギャザーシート４の下側壁部４１０が外側ギャザーとして高く起立する。その結果、尿等の排泄物が脚の付け根から吸収性物品１の外部へと漏出すること（いわゆる、横漏れ）を防止することができる。また、吸収性物品１の前方部２０１および後方部２０３を着用者に密着させることができるため、吸収性物品１の前方部２０１および後方部２０３からの排泄物の漏れも防止することができる。
【００３９】
各下ギャザーシート４では、上述のように、下側壁中間部４１７に第２下ギャザー弾性部材４３が接合されて下ギャザーシート本体４１を収縮させる。これにより、本体部２を長手方向においてより容易に湾曲させることができ、吸収性物品１の前方部２０１および後方部２０３を着用者により密着させることができる。また、第２下ギャザー弾性部材４３の張力により、着用者に向けて起立した下側壁部４１０が、側方に倒れてしまうことを抑制することができる。
【００４０】
吸収性物品１の長手方向の両端部では、下ギャザーシート本体４１の固定領域４１４のエッジ４１５の位置が、本体部２の左右方向の内側から側縁部に向かうに従って、長手方向における中央側へと向かう。これにより、下ギャザーシート４が起立する際に、下ギャザーシート本体４１の非固定部４１６が、エッジ４１５にて容易に折り返されて本体部２の角部を包む。その結果、本体部２の角部が捩れることを抑制することができる。また、本体部２の後方部２０３の幅が中間部２０２の幅よりも大きいことにより、下ギャザーシート４が起立する際に、本体部２の後方部２０３の角部を下ギャザーシート４により容易に持ち上げることができる。さらに、本体部２の前方部２０１の幅が中間部２０２の幅よりも大きいことにより、下ギャザーシート４が起立する際に、本体部２の前方部２０１の角部を下ギャザーシート４により容易に持ち上げることができる。
【００４１】
吸収性物品１では、吸収性物品１の着用者側に設けられた一対の上ギャザーシート３により、着用者に向けて起立する内側ギャザーを形成することにより、吸収性物品１からの横漏れをさらに防止することができる。また、一対の下ギャザーシート４の固定端部４１１が、一対の側部フラップ部２３１よりも左右方向の内側にてもバックシート２３に固定されることにより、下ギャザーシート４を起立させて外側ギャザーを形成する際に、外側ギャザーと内側ギャザーとの間にて、一対の側部フラップ部２３１も着用者に向かって起立する。これにより、吸収性物品１からの横漏れをより一層防止することができる。
【００４２】
吸収性物品１では、一対の上ギャザーシート３のそれぞれの上ギャザーシート本体３１が、肌触りが柔らかいエアスルー不織布により形成されるため、吸収性物品１の着用感を向上することができる。なお、エアスルー不織布は、他の種類の不織布に比べて水分を透過しやすいが、仮に水分が上ギャザーシート３を透過した場合であっても、当該水分は、一対の側部フラップ部２３１、および、一対の下ギャザーシート４により、吸収性物品１の外部へと漏出することが防止される。
【００４３】
吸収性物品１では、下ギャザーシート４を着用者側に折り返す前の状態において、下ギャザーシート本体４１がバックシート２３上にて折り返されることなく配置されることにより、吸収性物品１の構造を簡素化し、吸収性物品１の製造を容易とすることができる。
【００４４】
次に、本発明の第２の実施の形態に係る吸収性物品について説明する。図７は、第２の実施の形態に係る吸収性物品１ａを長手方向に広げた状態にて示す底面図である。吸収性物品１ａの構造は、本体部２の平面視における形状、および、一対の下ギャザーシート４の本体部２への接合構造が異なる点を除き、図１ないし図３に示す吸収性物品１と同様であり、以下の説明において対応する構成に同符号を付す。
【００４５】
図７に示すように、吸収性物品１ａでは、本体部２の平面視における形状が略矩形である。吸収コア２２ａは、前方部２０１および後方部２０３の幅が中間部２０２の幅よりも大きい砂時計形である。一対の下ギャザーシート４の自由端部４１２は左右方向に離間しており、一対の自由端部４１２の間からバックシート２３が露出する。なお、一対の下ギャザーシート４では、自由端部４１２近傍の部位が互いに重なっていてもよい。
【００４６】
図８は、図７中のＢ−Ｂの位置にて、吸収性物品１ａを長手方向に垂直な面で切断した断面図である。下ギャザーシート４の下ギャザーシート本体４１は、バックシート２３の側縁にて左右方向の内側へと折り返され、吸収コア２２ａの側方にてバックシート２３と上ギャザーシート３の上ギャザーシート本体３１との間に挟まれてバックシート２３および上ギャザーシート本体３１に接合される。これにより、下ギャザーシート４が本体部２に強固に固定される。吸収性物品１ａでは、下ギャザーシート４は、図９に示すように、本体部２の側部フラップ部２３１に連続した状態で共に起立する。
【００４７】
以上、本発明の実施の形態について説明してきたが、本発明は上記実施の形態に限定されるものではなく、様々な変更が可能である。
【００４８】
例えば、吸収性物品１，１ａが、側臥位を取るとともに体位変更を自発的に行わない着用者に着用される場合、一対の下ギャザーシート４のうち、側臥位の着用者の下側に位置する一方の下ギャザーシート４のみが着用者側に折り返されて外側ギャザーが形成されてもよい。
【００４９】
上ギャザーシート３および下ギャザーシート４の本体部２への固定は、例えば、超音波接合や熱圧着等のように、ホットメルト接着剤等による接合以外の方法により行われてもよい。下ギャザーシート４では、下ギャザーシート本体４１が、固定端部４１１からバックシート２３の下側にて左右方向の内側に広がり、さらに、左右方向の外側に折り返された状態で配置されてもよい。この場合、下ギャザーシート本体４１の自由端部４１２は、平面視において固定端部４１１に重なってもよい。
【００５０】
第１下ギャザー弾性部材４２および第２下ギャザー弾性部材４３は、必ずしも、前方部２０１から後方部２０３まで設けられる必要はなく、少なくとも中間部２０２において下ギャザーシート本体４１に接合されていればよい。
【００５１】
第２の実施形態に係る吸収性物品１ａでは、下ギャザーシート４の下ギャザーシート本体４１が、バックシート２３の側縁にて左右方向の内側へと折り返され、上ギャザーシート３の上ギャザーシート本体３１の上面に接合されてもよい。
【００５２】
吸収コアの平面視における形状は、必ずしも砂時計型である必要はなく、例えば、略矩形であってもよい。また、前方部および後方部の一方のみの幅が大きく、他方および中間部の幅が小さい、いわゆる羽子板型であってもよい。本体部２の平面視における形状についても同様に、前方部および後方部の一方のみの幅が大きく、他方および中間部の幅が小さい、いわゆる羽子板型であってもよい。本体部２および吸収コアが羽子板型とされる場合、後方部の幅が前方部および中間部の幅よりも大きいことが好ましい。
【００５３】
上述の吸収性物品の構造は、軽失禁パッドや生理用ナプキン等の様々な吸収性物品に適用されてよい。
【００５４】
上記実施の形態および各変形例における構成は、相互に矛盾しない限り適宜組み合わせられてよい。
【符号の説明】
【００５５】
１，１ａ    吸収性物品
２    本体部
３    上ギャザーシート
４    下ギャザーシート
２１    トップシート
２２，２２ａ    吸収コア
２３    バックシート
３１    上ギャザーシート本体
４１    下ギャザーシート本体
４２    第１下ギャザー弾性部材
４３    第２下ギャザー弾性部材
２０１    前方部
２０２    中間部
２０３    後方部
２３１    側部フラップ部
４１１    固定端部
４１２    自由端部
４１３    両端部
４１４    固定領域
４１５    エッジ
【図１】
2012200481.tif 000003
【図２】
2012200481.tif 000004
【図３】
2012200481.tif 000005
【図４】
2012200481.tif 000006
【図５】
2012200481.tif 000007
【図６】
2012200481.tif 000008
【図７】
2012200481.tif 000009
【図８】
2012200481.tif 000010
【図９】
2012200481.tif 000011